(57)【特許請求の範囲】
【請求項１】
フィルムの幅方向両側縁部を挟持して搬送する左右一対のフィルム搬送手段の始端側に設けたフィルム挟持部より上流側に、フィルムロールから引き出したフィルム先端部を係止保持するフィルム先端保持部を設け、そのフィルム先端保持部はフィルム搬送手段の始端部から離間する第１の位置と、係止保持したフィルム先端部を前記フィルム搬送手段の始端部に差し込む第２の位置と、に移動可能とし、フィルムロールから引き出したフィルム先端部をフィルム先端保持部に係止して第１の位置から第２の位置へ移動させることで、フィルム先端部をフィルム搬送手段の始端部に挟入させて、フィルムを前記フィルム搬送手段にて搬送し包装するストレッチフィルム包装機において、
前記フィルム先端保持部は、平板部材であり、その平板部材の両面のうち、一方の面をフィルムとの密着性が高い面とし、他方の面は低密着性面であり、フィルムロールから延びるフィルムと対面する位置に前記フィルム先端保持部の低密着性面が配置されることを特徴とするストレッチフィルム包装機。
【請求項２】
前記フィルム搬送手段は、フィルムを上下の駆動するベルトで挟持して搬送する搬送手段で、前記フィルム先端保持部は前記上下のベルトに挟まれる位置に切欠部を備え、該フィルム先端保持部が第２の位置に位置した時、該先端保持部の位置が、側面視上下ベルト間の中央より該先端保持部の密着性が高い面と対面するベルト側へずれていることを特徴とする請求項１記載のストレッチフィルム包装機。
【請求項３】
前記フィルム先端保持部がずれている方向に位置するベルトは、他方のベルトよりもフィルムとの密着性が高いことを特徴とする請求項２記載のストレッチフィルム包装機。
【請求項４】
前記フィルム先端保持部における低密着性面に、フィルムとの密着性を下げる処理がされていることを特徴とする請求項１乃至３のいずれか１項記載のストレッチフィルム包装機。
【発明の詳細な説明】
【技術分野】
【０００１】
本発明はスーパーマーケットのバックヤード等で生鮮食品をストレッチフィルムを用いてストレッチ包装する包装機に関し、更に詳しくは包装に使用するストレッチフィルムのフィルムセットに関する。
【背景技術】
【０００２】
ストレッチフィルム包装機で、包装に使用するフィルムロールを機内にセットし、そのフィルムロールに繋がるフィルム先端をフィルムセット部材に引っ掛けて包装機の所定位置に移動することで、該フィルムを包装位置へ搬送し得るようにしたストレッチフィルム包装機が知られている（例えば、特許文献１参照）。
【０００３】
そのストレッチフィルム包装機は、フィルムの幅方向両側縁部を挟持して搬送する左右一対のフィルム搬送手段の始端側に設けたフィルム挟持部より上流側に、フィルムロールから引き出したフィルム先端部を係止保持するフィルム先端保持部を設け、そのフィルム先端保持部はフィルム搬送手段の始端部から離間する第１の位置と、係止保持したフィルム先端部を前記フィルム搬送手段の始端部に差し込む第２の位置と、に移動可能とし、フィルムセット時に、フィルムロールから引き出したフィルム先端部をフィルム先端保持部に係止して第１の位置から第２の位置へ移動させることで、フィルム先端部をフィルム搬送手段の始端部に挟入させて、フィルムを前記フィルム搬送手段にて搬送し包装するというものである。
【０００４】
そして、前記フィルム先端保持部は、フィルムを係止する部分に、フィルムとの密着性を高める処理として鏡面仕上げ加工を施し、それによりフィルム先端部をフィルム先端保持部に確実に係止保持でき、フィルム先端保持部の移動時にフィルム先端が該フィルム先端保持部から外れるのを防止でき、フィルムセットを容易に行うことができるとしている。
【０００５】
しかし、フィルムとフィルム先端保持部との密着性が高すぎて、フィルム搬送手段を駆動してフィルム挟持部に挟入されたフィルム先端保持部に係止されているフィルムを搬送しようとした場合、フィルム先端保持部との係止が強すぎてフィルム先端保持部からフィルムが離れず、フィルム搬送不良を生じるという問題点があった。
【０００６】
【特許文献１】特開２００３−３３５３０６号公報
【発明の開示】
【発明が解決しようとする課題】
【０００７】
本発明は上記した従来の技術が有する問題点に鑑みてなされたもので、フィルムセットが容易で、且つ、フィルム搬送不良を生じさせないフィルムセット手段を備えたストレッチフィルム包装機を提供することを目的とする。
【課題を解決するための手段】
【０００８】
上記目的を達成する為に本発明が講じた技術的手段は、フィルムの幅方向両側縁部を挟持して搬送する左右一対のフィルム搬送手段の始端側に設けたフィルム挟持部より上流側に、フィルムロールから引き出したフィルム先端部を係止保持するフィルム先端保持部を設け、そのフィルム先端保持部はフィルム搬送手段の始端部から離間する第１の位置と、係止保持したフィルム先端部を前記フィルム搬送手段の始端部に差し込む第２の位置と、に移動可能とし、フィルムロールから引き出したフィルム先端部をフィルム先端保持部に係止して第１の位置から第２の位置へ移動させることで、フィルム先端部をフィルム搬送手段の始端部に挟入させて、フィルムを前記フィルム搬送手段にて搬送し包装するストレッチフィルム包装機において、
前記フィルム先端保持部は、平板部材であり、その平板部材の両面のうち、一方の面をフィルムとの密着性が高い面とし、他方の面は低密着性面であり、フィルムロールから延びるフィルムと対面する位置に前記フィルム先端保持部の低密着性面が配置されるように構成した（請求項１）。
前記フィルムロールは、フィルム先端保持部の第２の位置に対し、下方位置或いは上方位置の何れの側に配置されていてもよく、フィルムロールが下方位置に位置する場合、前記低密着性面は平板部材の下側面であり、フィルムロールが上方位置に位置する場合、前記低密着性面は平板部材の上側面となる。
前記密着性が高い面とは、例えば、フィルム先端保持部を構成する金属平板を鏡面加工、或いは平板部材の表面にビニールテープ等が貼付されている、或いは合成樹脂材などフィルムが保持される程度の密着性を備えていることをいう。
又、低密着性面とは、フィルムと該面が接した場合でもフィルムが保持されず、例えばステンレスやアルミ等の金属平板の表面や、或いはそれらの金属にサンドブラスト等、密着性を下げるような処理が施されている面を言う。
【０００９】
上記手段によれば、フィルム先端保持部を構成する平板部材の一方の面のみにフィルムとの密着性が高い面が形成されているので、フィルム先端をフィルム先端保持部に係止保持する作業を確実且つ容易に行うことができる。そして、フィルムロールから延びるフィルムは低密着性面と接する為、フィルムがフィルム先端保持部と密着してフィルムの引き出し搬送が阻害されるのを防止でき、フィルムを確実に引き出し搬送できる。従って、フィルム搬送不良が生じるのを防止できる。
【００１０】
又、前記フィルム搬送手段は、フィルムを上下の駆動するベルトで挟持して搬送する搬送手段で、前記フィルム先端保持部は前記上下のベルトに挟まれる位置に切欠部を備え、該フィルム先端保持部が第２の位置に位置した時、該先端保持部の位置が、側面視上下ベルト間の中央より該先端保持部の密着性が高い面と対面するベルト側へずれるようにする（請求項２）。
上記フィルム先端保持部のズレ量は、少なくともフィルムロールに繋がるフィルムが上下のベルトで挟持されて引き出し搬送される際、該搬送されるフィルムがフィルム先端保持部により抵抗を受けない程度の量である。
【００１１】
上記手段によれば、フィルム先端保持部が第２の位置において密着性が高い面と対面するベルト側にずれていることで、上下のベルトで挟持されて引き出し搬送されるフィルムは、フィード中フィルム先端保持部の低密着性面とより接しなくなる。従って、フィルム搬送手段の駆動によるフィルム搬送時フィルムに対する抵抗が作用しないので、フィルム搬送をスムーズに行うことができる。
【００１２】
更に、前記フィルム先端保持部のずれている側に位置するベルトは、他方のベルトよりもフィルムとの密着性、粘着性を高めた構成とする（請求項３）。
上記手段によれば、フィルム先端保持部はフィルムとの密着性（粘着性）が高いベルト側にずれているので、フィルム先端をフィルム先端保持部に係止保持してフィルム搬送手段の始端部に差し込み、フィルム搬送手段の駆動でフィルムが始めて挟持搬送される際、フィルムは密着性の高いベルト側に押し当てられる力が作用するので、フィルム先端保持部に係止保持されたフィルムをより確実に挟持搬送することができる。
【００１３】
又、前記フィルム先端保持部における低密着性面は密着性を高める処理を施さない未処理のままでもよいが、積極的にフィルムとの密着性を下げる処理を施してもよい（請求項４）。
密着性を下げる処理としては、例えば、テフロン（登録商標）加工された部材を貼付する、或いはフィルム先端保持部が金属製である場合、該当箇所をサンドブラスト処理する等の方法が挙げられる。
【００１４】
上記手段によれば、フィルムがフィルム搬送手段で挟持搬送される際、該フィルムはフィルム先端保持部の低密着性面と対向するが、その低密着性面に密着性を下げる処理が施されていることで、より一層フィルム搬送不良が生じるのを解消することができる。
【発明の効果】
【００１５】
本発明のストレッチフィルム包装機は請求項１記載の構成により、フィルム先端保持部の一方の面がフィルムとの密着性が高いので、該フィルム先端保持部へのフィルムの巻き付け（セット）を容易に行うことができる。そして、フィルムを巻き付けた後に行われるフィルムの引き出し搬送（フィルムフィード）においては、フィルムロールから引き出されるフィルムはフィルム先端保持部の低密着性面と接するようになるので、フィルムの引き出し搬送（フィルムフィード）の際にフィルムがフィルム先端保持部と密着してフィルム引き出し搬送が阻害されるのを防止できる。即ち、フィルム搬送不良の発生を解消することができ、安定した包装を可能とする。
又、請求項２記載の構成により、上下のベルトで挟持されて引き出し搬送されるフィルムは、フィルム先端保持部の低密着性面と非接触状態で搬送される。従って、フィルム搬送手段の駆動によるフィルム搬送時、フィルム搬送をスムーズに行うことができる。
【００１６】
更に、請求項３記載の構成により、フィルムは密着性の高いベルト側に押し当てられる為、フィルム先端保持部に係止保持されたフィルムをより確実に挟持搬送することができる。
また、請求項４記載の構成により、フィルムはフィルム先端保持部の低密着性面と対向するが、その低密着性面に密着性を下げる処理が施されていることで、より一層フィルム搬送不良が生じるのを解消することができる。
【発明を実施するための最良の形態】
【００１７】
以下、本発明に係るストレッチフィルム包装機の実施の形態を図面に基づいて説明する。
図１乃至図３は、被包装物ａのインフィード手段を備えず、被包装物を載置する載置台をエレベータで構成したストレッチフィルム包装機の概略を示し、その包装機Ａは略直方体形状をした機枠１内の略中央位置に、被包装物ａを載承して上下するエレベータ２が配置され、そのエレベータ２の上限位置より僅か下方位置には包装に使用するフィルムを張架保持する包装部ｂが設けられ、その包装部ｂの側方には被包装物ａを包装するフィルムを供給するロール配置部３が設けられ、そのロール配置部３にフィルムロール４がセットされている。
【００１８】
又、前記ロール配置部３の上方位置から前記包装部ｂ上を通過する経路にはフィルム搬送手段５が配置されており、そのフィルム搬送手段５によりフィルムロール４から繰り出されるフィルム４’の両側部を挟んで所定長さ引出し切断すると共に、切断されたフィルム４’を包装部ｂに張架するようにしてある。
【００１９】
更に、前記フィルム搬送手段５の上方には、左右折込み板６，６’及び後折込み板７を配置して、被包装物ａの上面を覆うフィルム４’の端部を被包装物ａの底面側に折り込むようにし、後折込み板７の上方には排出プッシャー８を配置して包装済みの被包装物ａ’をヒートシール部９へ向けて水平に押動排出し得るように構成されている。尚、ヒートシール部９への押動によりフィルム４’の前端部が被包装物ａの底面側に折り込まれ、その折り込まれたフィルムの端部は該ヒートシール部９でヒートシールされて包装を完成する。
又、前記エレベータ２の下方位置には計量台１０が配置され、被包装物ａを載承したエレベータが下限位置に下降した時、前記被包装物ａが計量台１０で載承され、計量し得るように構成されている。
【００２０】
前記エレベータ２は、被包装物ａを載置する載置台であると共に、包装部ｂに張架されたフィルム４’に対して下方から被包装物ａを突き上げて該被包装物ａの上面をフィルム４’で包む働きをなすもので、昇降部２ａと、エレベータヘッド２ｂとを備え、昇降部２ａはエレベータヘッド２ｂが取り付けられる上面板２０１とその上面板２０１の幅方向両端に下方に向けて垂直に取り付けた側板２０２，２０２’とで略門形に構成され、その左右の側板２０２，２０２’に亘って連結板２０３の一端部が取り付けられ、連結板２０３の他端部は機枠１に連結されている。又、左右の側板２０２，２０２’と機枠１には前記連結板２０３の下方に位置してリンク２０４，２０４’が取り付けられて、昇降リンク機構が構成されている。
そして、前記昇降部２ａは、電動モータ２０５の回転が回転軸２０６、回転軸２０６に連結した作動杆２０７、および作動杆２０７に連結した縦杆２０８を介して上下方向に作動され、一定の範囲を上下昇降する。
又、エレベータ２における上下１サイクルの始動位置と終了位置は、被包装物ａを載置したり、包装が行われる上限位置に設定されている。尚、エレベータ２は本発明の要旨と直接関係しないため詳細な説明は省略する（詳細な構成は特開２００３−３３５３０６号公報参照）。
【００２１】
フィルム搬送手段５は、包装部ｂより上流位置に配置されたロール配置部３にセットされたフィルムロール４から繰り出されるフィルムの先端部両側を挟持して保持すると共に、包装に必要な長さ宛引き出して切断し、包装部ｂに張架保持するものである。
そのフィルム搬送手段５は、フィルムの幅方向の側端部を挟持する上下一対の無端状の弾性ベルト５ａ，５ａ’と、下側の弾性ベルト５ａ’を上側の弾性ベルト５ａ側へ圧接するクランプ板５ｂとで構成され、それらが包装部ｂを挟んで前後に配置されている。
そして、前記した前後一対の構成部材は、それぞれ取り付け枠５ｄ，５ｄ’に支持され、その取り付け枠５ｄ，５ｄ’は所定の間隔をおいて機枠１に固定されている。
【００２２】
上記フィルム搬送手段５を構成する上下一対の無端状の弾性ベルト５ａ，５ａ’はフィルムを挟持して搬送し得るように同方向に駆動回転される。その駆動方式は、減速機付モータ５ｅで下側の弾性ベルト５ａ’が巻回されている駆動ローラ５ｆ’を回転し、且つその駆動ローラ５ｆ’の軸に固着したプーリー（図示せず）と上側の弾性ベルト５ａが巻回されている駆動ローラ５ｆの軸に固着したプーリー（図示せず）とに亘ってベルトを巻回して動力伝達が行われ、上側の弾性ベルト５ａも回転するように構成されている。尚、上下の弾性ベルトはフィルムの挟持及び搬送が安定よく確実に行われるように、途中にテンション調節機構が装備されている。
【００２３】
又、上側の弾性ベルト５ａに対して下側の弾性ベルト５ａ’を圧接するクランプ板５ｂは、図１に示すように３個に分割され、その３個のクランプ板は電磁ソレノイド等によってそれぞれ独立して上下方向に駆動され、下側の弾性ベルト５ａ’に押し付け、下側の弾性ベルト５ａ‘から離反されるように構成されている。従って、３分割されたクランプ板５ｂの解放のタイミングは別々に変化させることができる。
【００２４】
更に、上記フィルム搬送手段５の始端側には、フィルムの先端部を上側の弾性ベルト５ａと下側の弾性ベルト５ａ’とで圧着してフィルムの移動を止めるフィルム挟持部１２が設けられ、そのフィルム挟持部１２より上流側にフィルムロール４から繰り出されるフィルムに切断のためのミシン目を入れるミシン目刃１８が、フィルム面に対し直角方向に進退するように配置されている。
又、前記フィルム挟持部１２より上流側で、ミシン目刃１８より下流側にはフィルムロール４から引き出したフィルム先端部を係止保持するフィルム先端保持部１９が、機枠１の側部に設けた開閉自在なカバー２０の内側に設けられている。そして、前記カバー２０を開けることでフィルム先端保持部１９はフィルム搬送手段５の始端部から離間する第１の位置に位置し、カバー２０を閉じることでフィルム先端保持部１９に係止保持したフィルム先端部をフィルム搬送手段５の始端部に差し込む第２の位置に移動する。
【００２５】
フィルム先端保持部１９は、図５及び図６に示すように金属製平板からなる小片２１を断面略Ｌ字形に折り曲げ、その水平片２１ａに、前記フィルム搬送手段５におけるフィルム挟持部１２のベルト幅よりやや幅広い切欠部２２を所定深さ切欠き形成したフィルム保持部材１９ａ，１９ｂで構成されている。そして、このフィルム保持部材１９ａ，１９ｂは、カバー２０の内側に架設した取付桟２０’に前記した左右一対のフィルム搬送手段５の設置間隔と同じ間隔をおいて固着されている。
そして、フィルム保持部材１９ａ，１９ｂにおけるフィルム先端部が係止される面、即ち、切欠部２２を切り欠いた水平片２１ａの上面にはフィルムの密着係止を確実にする係止面２３が形成されている。その係止面２３は、フィルムの密着性を高める鏡面仕上げ加工によって構成されているので、フィルムロールから伸びるフィルムが係止面２３に密着して容易に第２の位置へ移動させることができる。即ち、フィルムをフィルム搬送手段５の始端部に差し込むフィルムセットの際、フィルムがフィルム先端保持部１９から落ちることなく容易にフィルムセットが可能になる。
【００２６】
又、前記フィルム保持部材１９ａ，１９ｂの水平片２１ａの他方の面、即ち下面はフィルムとの密着性を高める処理が施されていない低密着性面２４に形成されている。
前記水平片２１ａの低密着性面２４は、フィルムロール４から引き出されるフィルムと対向する位置に配置される面で、フィルムロール４をセットするロール配置部３がフィルム先端保持部の第２の位置（カバー２０を閉じてフィルム先端保持部１９の水平片２１ａをフィルム搬送手段５の始端部に差し込んだ位置）に対して下方に配置されている場合は図４に示すように水平片２１ａの下面が低密着性面２４となる。
又、フィルムロール４をセットするロール配置部３がフィルム先端保持部の第２の位置に対して上方に配置されている場合は図９に示すように水平片２１ａの上面が低密着性面２４となり、下面がフィルムとの密着性が高い係止面２３となる。但し、その場合はフィルムロール４から引き出すフィルムに対してミシン目を形成するミシン目刃の配置等の関係でカバー２０の取り付け位置、及びフィルム搬送手段５の始端部の向きは、フィルムロール４がフィルム先端保持部より下方に配置した実施の形態（図１、４参照）とは逆の位置に配置する。
【００２７】
上記低密着性面２４は、フィルムとの密着性を高める処理を全く施さない素材自体の表面状態のままでもよいが、逆に積極的にフィルムとの密着性を下げる処理（非密着処理）を施してもよい。その密着性を下げる処理としては、例えばテフロン（登録商標）加工された部材を貼付する方法、或いはフィルム保持部材１９ａ，１９ｂが金属製である場合は水平片２１ａの下面をサンドブラスト処理する等の方法が挙げられる。
【００２８】
又、前記フィルム先端保持部１９はカバー２０を閉じてフィルム搬送手段５を構成する上下一対の無端状の弾性ベルト５ａ，５ａ’の間に差し込まれる第２の位置に移動させるが、第２の位置に位置した時、フィルム先端保持部１９の水平片２１ａは、側面視で上下の弾性ベルト５ａ，５ａ’が接触する境界線上（中央）に位置するが、前記したようにフィルム先端保持部１９の水平片２１ａにおけるフィルムロール４に繋がるフィルムと対面する面は低密着性面２４であるため、包装に必要なフィルムをフィルム搬送手段５の駆動で引き出した場合、フィルムは水平片２１ａの低密着性面２４に接触するが、該低密着性面２４はフィルムの密着性を高める処理がされていない、又は密着性を下げる処理が施されているため、フィルムの引き出し搬送が阻害されることはなく、フィルムの安定した引き出し搬送が可能となる。
【００２９】
上記フィルム先端保持部１９は第２の位置に位置させた時、水平片２１ａは側面視で上下の弾性ベルト５ａ，５ａ’が接触する境界線（中央線）C・Lより該先端保持部の密着性が高い面と対向するベルト側へずれて配置されるように構成してもよい。
即ち、フィルムロール４の配置位置がフィルム先端保持部の第２の位置に対して下方である場合、前記境界線（中央）C・Lより上側の弾性ベルト５ａ側へずらして配置する（図７及び図８参照）。
例えば、図７に示すようにフィルム先端保持部１９を上側の弾性ベルト５ａ側にずらして配置した場合、左右のフィルム保持部材１９ａ，１９ｂの水平片２１ａに亘って巻き付けたフィルム４’の面は上下の弾性ベルト５ａ，５ａ’が接触する境界線（中央線）C・Lより上方に位置する。従って、フィルム４‘の搬送の際、フィルム４’と水平片２１ａとは接しなくなり、水平片２１ａによる抵抗を受けなくなる。また、弾性ベルト５ａ側にずれているのでフィルム先端保持部１９が第２の位置へ移動された時、水平片２１ａの切欠部２２を覆うフィルムは上側の弾性ベルト５ａの幅方向の両角部で下方に押し付けられ、その結果フィルムに反作用が働き、フィルム４’は上側の弾性ベルト５ａに押し付けられることになる。よって、フィルムの引き出し搬送が安定して行われる。
又、上側の弾性ベルトに対するフィルムの押し当てる力を更に高める場合は、図７に示すようにフィルム先端保持部１９の水平片２１ａの上面にフィルムを押し上げる部材、例えばクッション性部材２５を貼り付けてもよい。但し、その場合クッション性部材２５の表面はフィルムとの密着性を高める処理を施すようにする。
フィルムロール４の配置位置がフィルム先端保持部の第２の位置に対して上方である包装機にあっては、前記境界線（中央）C・Lより下側の弾性ベルト５ａ’側へずらして配置する（図９乃至図１１参照）。
【００３０】
また、フィルム先端保持部１９の水平片２１aがずれて配置される場合、例えばフィルム先端保持部１９が境界線（中央）C・Lより上側の弾性ベルト５ａ側へずらして配置される場合、上側の弾性ベルト５aは下側の弾性ベルト５a'よりもフィルムとの密着性が高く構成されている。同様に、フィルム先端保持部１９が境界線（中央）C・Lより下側の弾性ベルト５ａ’側へずらして配置される場合、下側の弾性ベルト５a’は上側の弾性ベルト５aよりもフィルムとの密着性が高く構成されている。
更に、前記フィルム先端保持部１９における水平片２１aの低密着性面２４は、上記したように該低密着性面２４にフィルムとの密着性を下げる処理を施してもよい。
【００３１】
上記したフィルム先端保持部１９の水平片２１ａにフィルム先端を巻き付け、カバー２０を閉じて該フィルム先端保持部１９の水平片２１ａをフィルム搬送手段５の上下の弾性ベルト５ａと５ａ’との間に差し込んだ場合、水平片２１ａが境界線（中央）C・Lより上側又は下側にずれて配置されていることで、図７に示すように水平片２１ａの切欠部２２を覆うフィルムがずれている側の弾性ベルトの両角部でもう一方の弾性ベルト側へ押し付けられる為、フィルムの反作用で水平片２１ａに巻き付けたフィルムをずれている側の弾性ベルトに強く押し当てることになる。それにより、水平片２１ａにセットされたフィルムをより確実に挟持して引き出し搬送することが出来る。
更に、前記フィルム先端保持部１９の水平片２１ａがずれている側の弾性ベルトは、他方の弾性ベルトよりフィルムとの密着性が高い為、より確実にフィルムの引き出し搬送を行うことができる。特に、フィルム先端をフィルム先端保持部の水平片２１ａに巻き付けて行う１回目のフィルム引き出しは、水平片２１ａにフィルムが重ねて巻き付けられるため、より強い搬送力が要求されるが、前記構成により充分対応することが可能となる。
【００３２】
そして、上記動作によって所定長さに切断したフィルムは包装部ｂに張架されるが、フィルムロールから引き出し包装部に張架した最初のフィルムは、空の包装動作によって取り除かれる。即ち、１回目はフィルムを所定位置にセットすることが目的で、２回目から正規の包装が行われる。
最初のフィルムは、空の包装動作で取り除かれるが、１回目に所定長さ引き出されて切断されたフィルムロール側の端部、即ちフィルムロールに繋がるフィルム先端は図１２に示すようにフィルム挟持部１２を通過した下流側位置で次のフィルムフィードを待機する。そして、２回目以降の正規の包装動作に必要なフィルムはフィルム搬送手段５の駆動で引き出され、所定長さ引き出された位置でミシン目刃１８が作動してフィルム４にミシン目が形成され、そのミシン目部分がフィルム挟持部１２を通過する位置まで搬送され、ミシン目がフィルム挟持部１２を通過した時該フィルム挟持部１２が作動してフィルムの移動を止める。それにより、フィルム挟持部１２より下流側に位置するフィルムはフィルム搬送手段５の駆動で下流側に引っ張られるため、ミシン目部分で引き裂かれ、切断された所定長さのフィルム４’は包装部ｂに張架保持され、フィルムロールに繋がるフィルム先端はフィルム挟持部１２を通過した下流側位置で待機する。そして、２回目以降のフィルム引き出しに際し、第２の位置に位置するフィルム先端保持部１９の水平片２１ａはフィルム搬送手段５の上下の弾性ベルト５ａ，５ａ’が接触する境界線（中央線）C・Lより上方又は下方に位置してギャップがあるため、フィルム搬送手段５の駆動でフィルムロールから引き出されるフィルムは水平片２１ａに接することなく引き出される。
尚、図面ではフィルム搬送手段５の上側の弾性ベルト５ａと下側の弾性ベルト５ａ’は、フィルム先端保持部との関係を理解し易くする為に間隔をあけて表示してあるが、実際は上下の弾性ベルト５ａ，５ａ’は接触しており、フィルム先端も上記したフィルム挟持部を通過した下流側位置に挟持されて待機する。
この２回目以降のフィルムの引き出し搬送（フィルムフィード）において、上記した本発明の構成が顕著に作用して、包装に必要なフィルムの引き出し搬送においてフィルム搬送不良の発生を防止できる。
即ち、
（１）フィルム先端保持部の水平片２１ａにおけるフィルムとの密着性を高める処理が施されていない／又はフィルムとの密着性を下げる処理を施した面（低密着性面）が、フィルムロールに繋がるフィルムと対向するように配置されていることで、フィルムロールから引き出し搬送されるフィルムは低密着性面と接触し、フィルムの引き出しが阻害されることがない。
（２）前記フィルム先端保持部の水平片２１ａを、側面視で上下の弾性ベルト５ａ，５ａ’が接触する境界線（中央線）C・Lより該先端保持部の密着性を高める処理が施された面と対向するベルト側へずらして配置したことにより、フィルム搬送手段の駆動でフィルムを引き出し搬送した場合、フィルムはフィルム先端保持部の水平片に接触することなく引き出し搬送される。従って、より一層フィルムの引き出しが阻害されることがない。
（３）そして、上記フィルム先端保持部の水平片がずれている側の弾性ベルトを、他方の弾性ベルトよりフィルムとの密着性を高くした場合は、フィルムの引き出し搬送をより確実に行うことができる。
尚、フィルムのセットに関する詳細な説明は特開２００３−３３５３０６号公報を参照のこと。
【００３３】
本発明は図示の実施例に限定されるものではなく、本発明の要旨を変更しない範囲で変更可能である。
（１）フィルム先端保持部は金属材に限らず、合成樹脂材でもよい。また、密着性を高める処理を施す例にて説明したが、該処理を施さず、元来密着性が高い素材、例えばプラスチック等を用いてもよい。
（２）フィルム先端保持部の配置位置は、図示のカバーに限定されない。フィルムセット時に、フィルム先端保持部に係止したフィルムを、フィルム挟持部へ移送できればよい。
例えば、特開２０００−７２１０５号公報に開示されている二つの保持板の間にフィルムを介在させて、該保持板をモータ駆動により上昇させて、フィルムをフィルム搬送機構端部に挟入させるようなフィルムセット機構で本発明を利用してもよい。
つまり、フィルムロールから伸びるフィルムを両保持板の間に通してセットする場合、フィルムロールから伸びるフィルムと接する保持板の内側の面は低密着性面で、フィルムロールから伸びる余分なフィルム先端を保持板の外側に垂らして、該垂れるフィルムが接触する該保持板の外側の例えば上端部に密着性の高い領域を設けるようにしてもよい。
これにより、フィルムをセットし、フィルムロールから伸びる余分なフィルムをカットする場合でも、前記密着する部分にフィルムの先端部を密着させてからフィルムをカットすることができるので、フィルム先端部が遊ぶことなくフィルムのカットが可能なので容易にフィルムセットができ、又、フィルム搬送の為、フィルムが保持板間を搬送されるときは低密着性面と接するようになるので、フィルム搬送時に余計な抵抗が無くなり安定したフィルム搬送が可能となる。従って、本発明で言うフィルムセット時とは、上記実施形態で説明したようにフィルムをフィルム搬送手段の始端部へ挟入させる場合の他、上記のように保持板間にフィルムを保持させる場合の両方を意味する。
（３）図示の実施の形態は被包装物をエレベータ上に直接載置する、所謂インフィードコンベヤを備えない包装機であるが、インフィードコンベヤを備えたタイプの包装機にも適用できるものである。
【図面の簡単な説明】
【００３４】
【図１】本発明に係るストレッチフィルム包装機の実施の形態の一例を示す縦断正面図。
【図２】同縦断側面図。
【図３】同横断平面図。
【図４】要部の拡大断面図。
【図５】フィルム先端保持部を構成するフィルム保持部材を示す斜視図。
【図６】フィルム先端を係止したフィルム先端保持部を、フィルム挟持部に差し込みフィルムセットされた状態を示す拡大平面図。
【図７】図６の（７）−（７）線に沿える拡大断面図。
【図８】図６の（８）−（８）線に沿える拡大断面図。
【図９】フィルムロールがフィルム先端保持部より上方に配置された実施の形態における要部の拡大断面図。
【図１０】図９の要部を拡大して示す断面側面図。
【図１１】図９の要部を拡大して示す断面正面図。
【図１２】フィルムフィードの待機状態を示す要部拡大断面図。
【符号の説明】
【００３５】
Ａ…包装機                        ａ…被包装物
ｂ…包装部                        ４…フィルムロール
４’…フィルム                      ５…フィルム搬送手段
１２…フィルム挟持部              １９…フィルム先端保持部
２３…係止面（密着処理面）        ２４…低密着性面（非密着処理面）
【図１】
0005061880.tif 000002
【図２】
0005061880.tif 000003
【図３】
0005061880.tif 000004
【図４】
0005061880.tif 000005
【図５】
0005061880.tif 000006
【図６】
0005061880.tif 000007
【図７】
0005061880.tif 000008
【図８】
0005061880.tif 000009
【図９】
0005061880.tif 000010
【図１０】
0005061880.tif 000011
【図１１】
0005061880.tif 000012
【図１２】
0005061880.tif 000013